(57)【要約】【課題】  軽量で丈夫であり、車椅子への着脱が簡単で、且つ、安価な車椅子用テーブルを提供すること。【解決手段】車椅子の左右のフレームパイプ３にそれぞれ固定されている２つの肘掛け４の上面に載置するテーブル本体６と、該テーブル本体６を前記左右のフレームパイプ３又は２つの肘掛け４にそれぞれ固定する２つの固定具５を備えた車椅子用テーブル１において、前記テーブル本体６は、強化段ボール板からなることを特徴とする。【選択図】      図２
2014151003.tif 000002
【特許請求の範囲】
【請求項１】
車椅子の左右のフレームパイプにそれぞれ固定されている２つの肘掛けの上面に載置するテーブル本体と、該テーブル本体を前記左右のフレームパイプ又は２つの肘掛けにそれぞれ固定する２つの固定具を備えた車椅子用テーブルにおいて、
前記テーブル本体は、強化段ボール板からなることを特徴とする車椅子用テーブル。
【請求項２】
前記強化段ボール板は、表面防水加工したものである請求項１記載の車椅子用テーブル。
【請求項３】
前記テーブル本体の表側面の周囲に、補強桟を固定したものであることを特徴とする請求項１または２に記載の車椅子用テーブル。
【請求項４】
前記補強桟は、外枠を形成する強化段ボール板からなる長尺な直方体形状の内部にスタイロフォームまたは発泡部材を挿入して強度補強したことを特徴とする請求項１〜３のいずれかに記載の車椅子用テーブル。
【請求項５】
前記固定具は、前記フレームパイプ又は肘掛けのそれぞれの外側面に密着して挟持した状態で前記テーブル本体の裏側面に固定される２つの固定具であり、且つ、少なくともその内の１つは前記テーブル本体の裏側面に設けてある密着面の左右方向の任意の位置に着脱自在となる被密着面を具備することを特徴とする請求項１乃至４のいずれかに記載の車椅子用テーブル。
【請求項６】
前記２つの固定具の少なくとも１つは、その肘掛け側の側面が下方に向かって肘掛け側へと傾斜した傾斜面を具備してなる断面が台形の略直方体形状であることを特徴とする請求項１乃至５のいずれかに記載の車椅子用テーブル。
【請求項７】
前記略直方体形状は強化段ボール板を用いて形成され、その内部空間にスタイロフォームまたは発泡部材を挿入して強度補強したことを特徴とする請求項６に記載の車椅子用テーブル。
【請求項８】
前記固定具の肘掛け側面の下方側には前記テーブル本体の裏側面と平行方向に緩衝部材が固定されていることを特徴とする請求項１乃至７のいずれかに記載の車椅子用テーブル。
【発明の詳細な説明】
【技術分野】
【０００１】
この発明は、軽量で丈夫でしかも車椅子への着脱も簡単に行える車椅子用テーブルに関する。
【背景技術】
【０００２】
車椅子の左右２つの肘掛けの上面に必要な時に載置して使用する車椅子用テーブルに関しては、肘掛けへの取付けについては、例えば特許文献１、２に、又、その構造に関しては、例えば特許文献３に開示されている。これら従来技術に用いられているテーブルの材質については、開示されていないが一般にはポリカーボネートなどの合成樹脂製や木製の丈夫な材質のものが用いられている。
【先行技術文献】
【特許文献】
【０００３】
【特許文献１】特開平９−１０８２７３号公報
【特許文献２】特開２００３−１９０２２０号公報
【特許文献３】特開２００７−６９２５号公報
【発明の概要】
【発明が解決しようとする課題】
【０００４】
車椅子用テーブルは身体に障害のある人が利用するものであるから、出来るだけ軽量でかつ丈夫な構造が好ましいが、従来の車椅子用テーブルはポリカーボネートなどの合成樹脂製や木製で重量があったので、取付けや取外しに利用者の負担が大きく掛かっていた。そのため特に利用者が子供や幼児の時には、食事時、勉強時、遊戯時などそのテーブルの使用目的に応じて大小のものに取り換えたり、形を変えたり、色彩や絵柄を入れたりなどして利用できれば子供、幼児の目的意欲が湧いて楽しく積極的な気分になることが期待できるが、現実は、前記のように金属や木が主体であるので、価格が高く何種類のものを準備することが困難である。更に、仮に準備ができたとしても、材質上重量があるので、取り換え作業が困難であるという問題点もある。更には、テーブルの形や大きさを変えることは容易ではないので種類を増やすことも出来難い。加えて、テーブル表面に図柄や文字を描くことも難しいので、一色無地のものとなり、興味を引き付けにくいという問題点がある。このような問題点は、大人や老人にも潜在するものである。又、車椅子への取付装置もポリカーボネート製の複雑な構造のものが使用されており、これも製造原価を挙げる要因となっていた。
【課題を解決するための手段】
【０００５】
この発明は、上記事情に鑑みてなされたものであって、その特徴とするところは、請求項１は、車椅子の左右のフレームパイプにそれぞれ固定されている２つの肘掛けの上面に載置するテーブル本体と、該テーブル本体を前記左右のフレームパイプ又は２つの肘掛けにそれぞれ固定する２つの固定具を備えた車椅子用テーブルにおいて、前記テーブル本体は、強化段ボール板からなることにある。
【０００６】
請求項２は、前記強化段ボール板は、表面防水加工したものであることにある。
【０００７】
請求項３は、前記テーブル本体の表面側の周囲に、補強桟を固定したものであることにある。
【０００８】
請求項４は、前記補強桟は、外枠を形成する強化段ボール板からなる長尺な直方体形状の内部にスタイロフォームまたは発泡部材を挿入して強度補強したことにある。
【０００９】
請求項５は、前記固定具は、前記フレームパイプ又は肘掛けのそれぞれの外側面に密着して挟持した状態で前記テーブル本体の裏側面に固定される２つの固定具であり、且つ、少なくともその内の１つは前記テーブル本体の裏側面に設けてある密着面の左右方向の任意の位置に着脱自在となる被密着面を具備することにある。
【００１０】
請求項６は、前記２つの固定具の少なくとも１つは、その肘掛け側の側面が下方に向かって肘掛け側へと傾斜した傾斜面を具備してなる断面が台形の略直方体形状であることにある。
【００１１】
請求項７は、前記略直方体形状は強化段ボール板を用いて形成され、その内部空間にスタイロフォームまたは発泡部材を挿入して強度補強したことにある。
【００１２】
請求項８は、前記固定具の肘掛け側面の下方側には前記テーブル本体の裏側面と平行方向に緩衝部材が固定されていることにある。
【発明の効果】
【００１３】
この発明によると、テーブル本体が強化段ボールから出来ているので、軽量であり、且つ、低価格となるにも関わらず、テーブル本体に必要な強度を十分に備えている。従って、大きな形状となっても子供や老人などの弱い力しかない者であっても、車椅子への着脱が容易に行える。また、安価であるので、テーブル本体の使用目的に応じて、形状の大小やこのテーブル本体表面に図形、文字、絵柄あるいは色彩、更には写真印刷などを容易に付することが出来る利点があるので、幾種類ものテーブル本体を製作でき、多くの需要が見込める。軽い板状であるので保管や運搬にも便利である。又、穴あけなどの加工も容易である。
【００１４】
また、表面防水加工することにより、食卓台として使用するような場合に、飲料水を溢した場合にも十分に対応できる。更にまた、テーブル本体の表面の周囲に補助桟を固定すると、より一層テーブル本体の強度が向上する。加えて、テーブル本体上の物が落下し難くなる。この補助桟が強化段ボールからなる長尺な直方体形状の内部にスタイロフォームまたは発泡部材を挿入しておけば、軽量であるのに加えて強度がより一層向上する。
【００１５】
更に、このテーブル本体をフレームパイプや肘掛けに取付ける際には、このテーブル本体の裏側面に設けてある接着面と密着する被接着面を上面に設けている固定具を、一方のフレームパイプや肘掛けの外側から挟むようにして密着させてから持ち上げることにより、テーブル本体の裏側面に接着することにより行う。この場合には、もう一方のフレームパイプや肘掛けの外側には、テーブル本体の裏側面に固定されている固定具が予め密着しているようにしておくので、結局のところ、２つの固定具で挟み込んで固定することになる。従って、固定する作業としては、テーブル本体を肘掛けの上方に載置した後は、１つの固定具の取付だけで固定できるので、作業が簡単である。
【００１６】
また、この固定具の肘掛け側の側面が下方に向かって肘掛け側へと傾斜した傾斜面を有している断面が台形状の略直方体形状の場合には、固定具の下方がフレームパイプと密着して、より安定的に固定することが出来る。そして、固定具が強化段ボール板を用いて形成された略直方体の内部空間にスタイロフォームまたは発泡部材を挿入しているので、この固定具の強度を軽量にも拘わらず高めることが出来る。
【００１７】
更に、固定具の肘掛け側の側面の下方側にテーブル本体の裏側面と並行方向の緩衝部材を固定しているので、固定具で挟み込んだ際にはこの緩衝部材がフレームパイプに当接するので、固定具とフレームパイプとの硬い部材同士の接触を防止できるので、部材の耐久性を向上できると共に、クッション作用も得ることが出来る。
【図面の簡単な説明】
【００１８】
【図１】車椅子テーブルを取付けた車椅子の斜視図
【図２】テーブル本体の表面側の図
【図３】テーブル本体の裏面側の図
【図４】固定具の斜視図
【図５】図４のＸ−Ｘ線断面図
【図６】車椅子に本発明の車椅子テーブルを取付けた状態の断面説明図
【図７】図６の取付けた状態の裏面側要部説明図
【図８】図７の矢符Ａ視側からの正面図
【図９】他の実施例の図７の矢符Ａ視側からの正面図
【図１０】テーブル本体の使用例図
【発明を実施するための形態】
【００１９】
この発明の最良の実施形態について図を参照しつつ説明する。図１に示すように、この発明の車椅子テーブル１は、車椅子２のフレームパイプ３に固定されている２つの肘掛け４の上面に載置されて、図４に示すような固定具５によってフレームパイプ３又は肘掛け４に固定されている。
【００２０】
車椅子テーブル１は、図２、図３に示すテーブル本体６と、図４、図５に示す固定具７を主たる構成要素としている。テーブル本体６は、図６に示すように、車椅子２の肘掛け４の上面に固定具７によって固定されて使用されるものであって、その材質は強化段ボール板である。このような強化段ボール板は必要に応じて表面防水加工されていて、食事時や飲料時等において水等の液体が零れた場合にも耐水性を有するようにしている。そして、その外形状は座席８側の中央部が必要に応じて凹んだ長方形となっており、長手側の裏側面の両側が肘掛け４の上面に載置される。この実施例においては、表側面９の周囲にはテーブル本体６の強度を高めるためと表側面９上に置かれたものの落下防止のために補強桟１０が固定されている。補強桟１０は全周囲でなくてもその一部の周囲だけでも良い。そして、この補強桟１０は軽量化を図る為に、強化段ボールからなる細長い直方体形状となっており、更に、強度を保つために内部に必要に応じてスタイロフォームまたは合成樹脂の発泡部材７を挿入している。
【００２１】
強化段ボールとしては、三層フルート構造のトライウオール（商標、株式会社タカムラ産業製造販売）、二層フルート構造のバイウオール（商標、株式会社タカムラ産業製造販売）などがあげられる。これらは、木材、鉄、プラスチックスに代わる梱包材として、使用されているものである。また、これらは、耐水ロングファイバーライナーを使用しているので、耐圧、破裂の強度、耐湿性、密封性能が強いものである。又、大変に軽量（木の３０％〜２５％の重量）である特徴を有している。
【００２２】
テーブル本体６の裏側面１１は、図３や図７にとくに良く現われているように、長手方向の中央に真中を０として左右に刻んだ目盛１２があり、これによって中央からの左右の距離位置がスケールを使用することなく判別できる。そして、左右両端付近のこの目盛１２上には、マジックテープ（登録商標）などからなる左右方向に長い平面状の密着面１３が２枚前後方向に少しの距離を置いて固定されている。マジックテープ（登録商標）は合成繊維からなる係合線状群を台座の上に植毛したものであるから、軽量であるにも拘わらず強固に着脱自在に密着できる。なお、密着面１３これに限定されず、例えば、磁石と着磁金属板のような組み合わせの磁石板又は着磁性金属板でも良い。
【００２３】
固定具５は、図４に示すように、前記テーブル本体６の裏側面１１の密着面１３と密着する相手側の被密着面１４を上面に具備した略直方体形状であれば良いが、この実施例では、その断面形状は、図５に良く現われているように、肘掛け４、フレームパイプ３側の側面の下方が肘掛け４、フレームパイプ３方向へ傾斜した傾斜面１５である台形状になっている。このように形成することにより、固定具５を装着した時に、傾斜面１５の下方がフレームパイプ３又は肘掛け４の下方に当接することにより、テーブル本体１に上向きの力が作用した時でも持ち上がり難くなる。また、この実施例においては、固定具５を形成する前記略直方体形状の外枠は、強化段ボール板を折り曲げて形成し、その内部にスタイロフォームまたは発泡部材７を挿入して、軽量化を図ると共に強度補強しているが、これに代えて、比重の軽い木材を同形状に削って作成したり、空洞の合成樹脂体などでも良い。
【００２４】
固定具５の上面の面積が小さいときには、被密着面１４と密着面１３との密着面積が小さくなり密着度が弱まると見込まれる場合には、図５に示しているように、固定具５の上面からはみ出すはみ出し片１４ａを形成しても良い。更には、密着面１３と密着した状態から剥がすときに便利なように、図４に示しているように、被密着面１４の長手方向の端部をはみ出すようにしてた手持ち片１４ｂを設けても良い。
【００２５】
更に、固定具５の傾斜面１５の下方には、テーブル本体６の裏側面１１と並行方向に、柔軟部材からなる緩衝部材１６が固定されている。これにより、固定具５を取付けたときに、固定具５とフレームパイプ３や肘掛け４との直接接触を回避でき両部材の摩耗を防ぐことが出来る。更には、テーブル本体６が持ち上る方向に力が作用した場合にこの緩衝部材１６がフレームパイプ３や肘掛け４と係合して、持ち上がり難く出来る。
【００２６】
尚、固定具５としては上記した以外にも、例えば、頻繁にテーブル本体６を取り換えて使用する場合には、被密着面１４を可撓性の部材からなる帯状のベルトの外周面に取付けしたものとし、これを左右のフレームパイプ３と肘掛け４の巻き付けておくようにしても良い。この場合には、テーブル本体６を交換する度に固定具５の着脱作業が必要でなくなる利点がある。また、密着面１３が磁石板で被密着面１４が着磁性金属板である時には、肘掛け４の上下面のいずれかにこれを固定しておけば良いが、フレームパイプ３や肘掛け４が着磁性材料であればこれ自体が被密着面となるので不要である。
【００２７】
次に上記構成からなるこの発明の使用について説明する。使用者が座席８に座ってから、使用者本人若しくは介護者がテーブル本体６を左右の肘掛け４の上面に載置する。この際には予め２つの肘掛け４の外側間の長さを計っておき、その半分の長さの目盛１２の所に１つの固定具５の内側を合わせて、テーブル本体６の密着面１３と固定具５の被密着面１４を密着固定させておく。そして、この固定具７の内側面を一方の肘掛け４又はフレームパイプ３の外側面に密着させる。この準備が整ってから、次には他方の肘掛け４又はフレームパイプ３の外側面にもう一つの固定具５を当ててから、この固定具５の上面に固定している被接着面１４を固定具３と共に持ち上げてテーブル本体６の裏側面に固定している密着面１３に密着固定させる。これでテーブル本体６の車椅子２への取付が完了する。
【００２８】
この取付時において、固定具５の内側面に傾斜面１５を設けている場合には、その下方がフレームパイプ３又は肘掛け４の下側に位置しているために、万一、テーブル本体６に上方への力が作用しても容易に持ち上がることがないので安全である。この傾斜面１５を有していない固定具５であっても、図９に示すように、取付時に固定具７を強くフレームパイプ３又は肘掛け４の外側面に押し付けておけば、持ち上がり難いので必ずしも傾斜面１５が必要というものではない。又、固定具７の内側面に緩衝部材１６を設けている場合には、この緩衝部材１６がフレームパイプ３又は肘掛け４の下方や外側面に当接するので、固定具５の内側への押圧力を緩衝できて耐久性が向上する。
【００２９】
テーブル本体６を車椅子２から取り外す際には、固定具５を下方へ引張って密着面１３から被密着面１４を分離させるだけで良い。この時、手持ち片１４ｂを設けているときはこれを持って外せば便利である。これによって、テーブル本体６はフレームパイプ３又は肘掛け４との係合が解かれるので、テーブル本体５を残っている固定具７の方向へ少しずらせて持ち上げて外す。軽いので車椅子２の使用者が子供や老人であっても乗ったまま作業できるので簡単である。介護者も数多くの車椅子の利用者の面倒を見る時にも疲れることが少なくなる。
【００３０】
図１０に示すテーブル本体６は、子供や幼児が喜ぶように表側面９に絵柄１７を描いた例を示し、又、コップを載せやすいようにコップ穴１８を設けても良い。このように、この発明の車椅子用テーブル１は、強化段ボールという安価な資材を使用し、しかも簡単に成形加工できるので、一台の車椅子に幾種類ものテーブル本体６を準備でき、利用者の選択の範囲を拡大できる利点がある。
【産業上の利用可能性】
【００３１】
この発明は、車椅子の全使用者にとっては安価で取付が容易で持ち運びが楽
であるから、好んで有効に活用されるものと期待され、その需要は多く見込めるものである。
【符号の説明】
【００３２】
１    車椅子テーブル
２    車椅子
３    フレームパイプ
４    肘掛け
５    固定具
６    テーブル本体
７    発泡部材
１０    補強桟
１２    目盛
１３    密着面
１４    被密着面
１５    傾斜面
１６    緩衝材部材
【図１】
2014151003.tif 000003
【図２】
2014151003.tif 000004
【図３】
2014151003.tif 000005
【図４】
2014151003.tif 000006
【図５】
2014151003.tif 000007
【図６】
2014151003.tif 000008
【図７】
2014151003.tif 000009
【図８】
2014151003.tif 000010
【図９】
2014151003.tif 000011
【図１０】
2014151003.tif 000012